(57)【要約】【課題】本発明は、ドライバ等の工具を必要とせず、サーマルヘッドの取り付けと、サーマルヘッドに駆動信号を供給するためのコネクタの接続とを一連の作業で行うことができるサーマルヘッド支持装置を提供することを課題とする。【解決手段】被印字媒体Ｐの搬送方向下流側からサーマルヘッド１１が挿入されるスロット部１２１が形成されたヘッド取り付け部１２と、スロット部１２１の奥側に配設され、スロット部１２１へのサーマルヘッド１１の挿入に伴ってサーマルヘッド１１に接続されるコネクタ部１２２と、スロット部１２１に挿入されたサーマルヘッド１１をコネクタ部１２２に案内するガイドレール１２３とを設けることにより、スロット部１２１へのサーマルヘッド１１の取り付けに伴って、サーマルヘッド１１がガイドレール１２３によって案内され、サーマルヘッド１１にコネクタ部１２２が接続される。【選択図】        図４
2008207512.tif 000002
【特許請求の範囲】
【請求項１】
プラテンローラとの間で被印字媒体を挟持搬送して印字を行うサーマルヘッドを支持するサーマルヘッド支持装置であって、
前記被印字媒体の搬送方向下流側からサーマルヘッドが挿入されるスロット手段と、
該スロット手段の奥側に配設され、前記スロット手段への前記サーマルヘッドの挿入に伴って前記サーマルヘッドに接続されるコネクタ手段と、
前記スロット手段に挿入された前記サーマルヘッドを前記コネクタ手段に案内するガイド手段とを具備することを特徴とするサーマルヘッド支持装置。
【請求項２】
前記スロット手段に挿入された前記サーマルヘッドをロックするロック手段を具備することを特徴とする請求項１記載のサーマルヘッド支持装置。
【請求項３】
前記スロット手段は、前記プラテンローラとの位置を調整可能なヘッド位置調整手段と一体化されていることを特徴とする請求項１又は２記載のサーマルヘッド支持装置。
【請求項４】
前記スロット手段への前記サーマルヘッドの挿入方向と同一の方向からの操作によって、前記スロット手段から前記サーマルヘッドを排出させるイジェクト手段を具備することを特徴とする請求項１乃至３のいずれかに記載のサーマルヘッド支持装置。
【発明の詳細な説明】
【技術分野】
【０００１】
本発明は、サーマルヘッドを用いて印字を行うプリンタにおけるサーマルヘッド支持装置に関し、とくにプラテンローラに対する位置を調整可能な状態でサーマルヘッドを支持するサーマルヘッド支持装置に関するものである。
【背景技術】
【０００２】
一般に、サーマルヘッドを用いて印字を行うプリンタは、プラテンローラとサーマルヘッドとの間にラベル連続体やタグ連続体等の被印字媒体を挟持搬送することで、被印字媒体に所定の印字情報を印字するものであり、サーマルヘッドは、発熱素子がプラテンローラに対向するように、サーマルヘッド支持装置によって支持されている。
【０００３】
従来、サーマルヘッド支持装置へのサーマルヘッドの取り付けは、ネジによって直接取り付けたり、サーマルヘッドにネジで取り付けられたスペーサーと称される連結部材を用いて取り付けたりしていた（例えば、特許文献１参照）。
【０００４】
しかしながら、従来技術では、サーマルヘッド支持装置へのサーマルヘッドの取り付けに際し、ドライバ等の工具が必要であると共に、サーマルヘッドを取り付けた後、サーマルヘッドに駆動信号を供給するためのコネクタを接続しなければならず、サーマルヘッドの取り付け作業が煩雑なものになってしまうという問題点があった。
【０００５】
【特許文献１】特開平１１−２１６８８９号公報
【発明の開示】
【発明が解決しようとする課題】
【０００６】
本発明は斯かる問題点に鑑みてなされたものであり、その目的とするところは、ドライバ等の工具を必要とせず、サーマルヘッドの取り付けと、サーマルヘッドに駆動信号を供給するためのコネクタの接続とを一連の作業で行うことができるサーマルヘッド支持装置を提供する点にある。
【課題を解決するための手段】
【０００７】
本発明は上記課題を解決すべく、以下に掲げる構成とした。
請求項１記載の発明の要旨は、プラテンローラとの間で被印字媒体を挟持搬送して印字を行うサーマルヘッドを支持するサーマルヘッド支持装置であって、前記被印字媒体の搬送方向下流側からサーマルヘッドが挿入されるスロット手段と、該スロット手段の奥側に配設され、前記スロット手段への前記サーマルヘッドの挿入に伴って前記サーマルヘッドに接続されるコネクタ手段と、前記スロット手段に挿入された前記サーマルヘッドを前記コネクタ手段に案内するガイド手段とを具備することを特徴とするサーマルヘッド支持装置に存する。
また請求項２記載の発明の要旨は、前記スロット手段に挿入された前記サーマルヘッドをロックするロック手段を具備することを特徴とする請求項１記載のサーマルヘッド支持装置に存する。
また請求項３記載の発明の要旨は、前記スロット手段は、前記プラテンローラとの位置を調整可能なヘッド位置調整手段と一体化されていることを特徴とする請求項１又は２記載のサーマルヘッド支持装置に存する。
また請求項４記載の発明の要旨は、前記スロット手段への前記サーマルヘッドの挿入方向と同一の方向からの操作によって、前記スロット手段から前記サーマルヘッドを排出させるイジェクト手段を具備することを特徴とする請求項１乃至３のいずれかに記載のサーマルヘッド支持装置に存する。
【発明の効果】
【０００８】
本発明のサーマルヘッド支持装置は、被印字媒体の搬送方向下流側からサーマルヘッドが挿入されるスロット手段と、スロット手段の奥側に配設され、スロット手段へのサーマルヘッドの挿入に伴ってサーマルヘッドに接続されるコネクタ手段と、スロット手段に挿入されたサーマルヘッドをコネクタ手段に案内するガイド手段とを設けることにより、スロット手段へのサーマルヘッドの取り付けに伴って、サーマルヘッドがガイド手段によって案内され、サーマルヘッドにコネクタ手段が接続されるため、ドライバ等の工具を必要とせず、サーマルヘッドの取り付けと、サーマルヘッドに駆動信号を供給するためのコネクタの接続とを一連の作業で行うことができるという効果を奏する。
【０００９】
さらに、本発明のサーマルヘッド支持装置は、スロット手段に挿入されたサーマルヘッドをロックするロック手段を設けることにより、スロット手段に挿入されたサーマルヘッドの脱落や、コネクタ手段との接続不良を防止することができるという効果を奏する。
【００１０】
さらに、本発明のサーマルヘッド支持装置は、スロット手段と、プラテンローラとの位置を調整可能なヘッド位置調整手段とを一体化するように構成することにより、サーマルヘッドを取り外しても、ヘッド位置調整手段による位置調整が維持されるため、サーマルヘッドを交換した際に、プラテンローラに対する位置調整を改めて行う必要がなく、サーマルヘッドの交換を容易に行うことができるという効果を奏する。
【００１１】
さらに、本発明のサーマルヘッド支持装置は、スロット手段へのサーマルヘッドの挿入方向と同一の方向からの操作によって、スロット手段からサーマルヘッドを排出させるイジェクト手段を設けることにより、スロット手段からのサーマルヘッドの取り外しと、スロット手段へのサーマルヘッドの取り付けとを同一の方向から簡単に行うことができ、不慣れなユーザでもサーマルヘッドの交換を容易に行うことができるという効果を奏する。
【発明を実施するための最良の形態】
【００１２】
以下、本発明の実施の形態を図面に基づいて詳細に説明する。
【００１３】
図１は、本発明に係るサーマルヘッド支持装置の実施の形態を装備したプリンタの要部構成を示す概略側面図であり、図２は、図１に示すサーマルヘッド支持装置におけるヘッド圧調整部の構成を示す分解斜視図であり、図３は、図１に示すサーマルヘッド支持装置におけるヘッド位置調整部の構成を示す分解斜視図であり、図４は、図３に示すヘッド取り付け部へのサーマルヘッドの取り付け方法を説明する説明図であり、図５は、図３に示すヘッド取り付け部の構成を示す斜め下方から見た斜視図である。
【００１４】
本実施の形態のサーマルヘッド支持装置２は、図１を参照すると、サーマルヘッド１１を支持する支持手段であり、複数枚のラベルが帯状台紙に仮着されているラベル連続体やタグ連続体等の被印字媒体Ｐにサーマルヘッド１１を用いて印字を施すプリンタ１に装備されている。プリンタ１は、感熱発色印字方式の印字装置であり、ロールに巻き回した状態の被印字媒体Ｐが装填される供給部１０１を備え、供給部１０１から繰り出された被印字媒体Ｐをプラテンローラ１０とサーマルヘッド１１との間で挟持搬送し、サーマルヘッド１１の発熱体を選択的に発熱させることにより、被印字媒体Ｐを感熱発色させて所望の文字、バーコード等の印字を施すように構成されている。なお、プリンタ１としては、熱転写リボンと被印字媒体Ｐとをプラテンローラ１０とサーマルヘッド１１との間に挟持搬送し、熱転写リボンのインクを被印字媒体Ｐに転写させて印字を施す熱転写方式を採用するようにしても良い。
【００１５】
また、プリンタ１は本体筐体１０２と、本体筐体１０２の後方側、すなわち被印字媒体Ｐの搬送方向上流側に配設されている回動軸１０３に軸支され、本体筐体１０２を開閉する上部筐体１０４とを備え、図１（ｂ）に示すように、上部筐体１０４を開くことにより、解放された被印字媒体Ｐの搬送方向下流側の空間から、サーマルヘッド１１や被印字媒体Ｐの装填等のメンテナンス作業を行うことができるようになっている。
【００１６】
サーマルヘッド支持装置２は、図２および図３を参照すると、サーマルヘッド１１のヘッド圧を調整するヘッド圧調整部３と、サーマルヘッド１１のプラテンローラ１０に対する相対的な位置を調整するヘッド位置調整部４と、サーマルヘッド１１が取り付けられるヘッド取り付け部１２とで構成されている。
【００１７】
ヘッド圧調整部３は、図２を参照すると、カム固定プレート５と、ベースプレート６と、一対の圧力プレート７と、一対のヘッド付勢用スプリング８とを備え、ヘッド位置調整部４は、図３を参照すると、ヘッド取り付け部１２を固定するメイン固定プレート９およびヘッド移動プレート１３を備えている。
【００１８】
カム固定プレート５には、図２を参照すると、一対のヘッド圧可変カム１４が軸着され、可変つまみ１５を回動することにより、ヘッド圧可変カム１４が所定角度だけ回動されるようになっている。
【００１９】
ベースプレート６は、本体筐体１０２に取り付けた主軸１６に軸支されており、図示しないヘッド開閉機構を操作することによってヘッド圧調整部３、ヘッド位置調整部４およびヘッド取り付け部１２が一緒になって開閉され、サーマルヘッド１１をプラテンローラ１０に対して接離させることで、被印字媒体Ｐの装填や清掃等のメンテナンス作業を行うことが可能になっている。
【００２０】
圧力プレート７は、ベースプレート６に取り付けた圧力プレート回動軸１７に軸支されている。圧力プレート７には、ベースプレート６に開口形成したカム用窓１８を介してヘッド圧可変カム１４がその表面側に当接すると共に、その裏面側にヘッド付勢用スプリング８が位置している。
【００２１】
図３を参照すると、メイン固定プレート９の表面側には、ヘッド移動プレート１３が位置し、裏面側には、ヘッド取り付け部１２が位置している。メイン固定プレート９の表面の略中央部に３本のガイドピン１９を植設してあると共に、メイン固定プレート９の左右端部には、側壁部２０がそれぞれ形成され、表面の左右の端部には一対の第１の調節ネジ取り付け片２１がそれぞれ形成されている。
【００２２】
ヘッド取り付け部１２は、被印字媒体Ｐの搬送方向、すなわち図３に示す矢印Ｆの方向に前後させることにより、取り付けられたサーマルヘッド１１の発熱素子とプラテンローラ１０との相対的位置を可変とし、プラテンローラ１０との平行度および被印字媒体Ｐの搬送方向における相対位置などを調節することができるようになっている。
【００２３】
ヘッド移動プレート１３は、左右の端部に一対の第２の調節ネジ取り付け片２３が形成され、図２に示すように、メイン固定プレート９、ヘッド取り付け部１２およびヘッド移動プレート１３が組み付けられた際に、被印字媒体Ｐの搬送方向、図２に矢印Ｅで示す方向において第２の調節ネジ取り付け片２３がメイン固定プレート９の第１の調節ネジ取り付け片２１に対向するようになっている。
【００２４】
メイン固定プレート９の第１の調節ネジ取り付け片２１と、ヘッド移動プレート１３の第２の調節ネジ取り付け片２３との間には、図２および図３に示すように、調節ネジ２４および圧縮スプリング２５がそれぞれ介装されている。すなわち、被印字媒体Ｐの搬送方向前方側に位置する第２の調節ネジ取り付け片２３に、調節ネジ２４を前方側から挿通するネジ貫挿孔２６が形成されていると共に、被印字媒体Ｐの搬送方向後方側に位置する第１の調節ネジ取り付け片２１に、調節ネジ２４が係合する雌ネジ孔２７が形成されている。
【００２５】
メイン固定プレート９の表面に位置するヘッド移動プレート１３には、中央部に形成した矩形状切欠き部２８が形成されており、矩形状切欠き部２８にメイン固定プレート９のガイドピン１９が位置するようになっている。図２に示すように、３本のガイドピン１９の内、左右２本のガイドピン１９にヘッド付勢用スプリング８をはめ、ヘッド圧調整部３の閉鎖によってヘッド付勢用スプリング８の付勢力によるサーマルヘッド１１およびプラテンローラ１０の間の押圧力を発生する。すなわち、圧力プレート７の先端部には、第１のピン挿通孔２９が形成されていると共に、ベースプレート６に第２のピン挿通孔３０が形成されており、ガイドピン１９を、圧力プレート７とメイン固定プレート９との間にヘッド付勢用スプリング８を介装して、第１のピン挿通孔２９および第２のピン挿通孔３０に挿通し、ガイドピン１９の頂部をＥ型ワッシャ３１で固定することにより、ガイドピン１９がベースプレート６に固定され、メイン固定プレート９全体がベースプレート６に固定される。なお、ヘッド付勢用スプリング８による押圧力は、可変つまみ１５を操作してヘッド圧可変カム１４を所定角度だけ回動することにより、圧力プレート７およびヘッド付勢用スプリング８を介してこれを可変とすることができる。換言すれば、ヘッド圧調整部３により、メイン固定プレート９をプラテンローラ１０方向に所定の押圧力で付勢可能としてある。
【００２６】
ヘッド移動プレート１３には、被印字媒体Ｐの搬送方向に直交する方向に長い左右一対ネジ取り付け片調節用長孔３２が形成されており、ネジ取り付け片調節用長孔３２に一体化ネジ３３およびカラー３４を挿通可能としてある。また、メイン固定プレート９には、ヘッド移動プレート１３のネジ取り付け片調節用長孔３２に交差可能で被印字媒体Ｐの搬送方向に長い左右一対の調節用ガイド長孔３５が形成されており、調節用ガイド長孔３５に一体化ネジ３３およびそのカラー３４を挿通可能としてある。なお、カラー３４の長さは、ヘッド移動プレート１３およびメイン固定プレート９の合計厚さと同等の長さを有する。
【００２７】
従って、ヘッド移動プレート１３のネジ取り付け片調節用長孔３２およびメイン固定プレート９の調節用ガイド長孔３５に一体化ネジ３３およびカラー３４を挿通すると共に、ヘッド取り付け部１２の一体化用ネジ孔３６に一体化ネジ３３を係合することにより、メイン固定プレート９の表面および裏面側において、ヘッド移動プレート１３とヘッド取り付け部１２とが一体化され、これにより、ヘッド取り付け部１２およびヘッド移動プレート１３が、メイン固定プレート９を挟んで一体化ネジ３３によって固定される。
【００２８】
ヘッド取り付け部１２およびヘッド移動プレート１３をメイン固定プレート９に固定した状態において、調節用ガイド長孔３５内に一体化ネジ３３およびカラー３４が挿通されているため、一体化ネジ３３をわずかにゆるめることにより、ヘッド取り付け部１２がメイン固定プレート９の裏面に対して被印字媒体Ｐの搬送方向に摺接移動可能であると共に、ヘッド移動プレート１３がヘッド取り付け部１２と一体的にメイン固定プレート９の表面９Ａに対して被印字媒体Ｐの搬送方向に摺接移動可能である。
【００２９】
また、一体化ネジ３３およびカラー３４をネジ取り付け片調節用長孔３２に挿通してあるので、一体化ネジ３３をわずかにゆるめることにより、メイン固定プレート９とヘッド移動プレート１３との被印字媒体Ｐの搬送方向に直角な方向における互いの相対位置を調節することができ、第２の調節ネジ取り付け片２３のネジ貫挿孔２６と、第１の調節ネジ取り付け片２１の雌ネジ孔２７との相対位置を、調節ネジ２４が挿通可能になるように合わせることができる。さらに、ベースプレート６には、左右一対のネジ調整用窓４０が形成されており、プリンタ１の組み立て後であっても、ネジ調整用窓４０を通して一体化ネジ３３の操作ができるようになっている。
【００３０】
プラテンローラ１０に対する、ヘッド取り付け部１２に取り付けられたサーマルヘッド１１の被印字媒体Ｐの搬送方向における相対位置を調節する場合には、一体化ネジ３３をわずかにゆるめると共に、左右一対の調節ネジ２４をそれぞれ回転操作することにより、メイン固定プレート９に対するヘッド移動プレート１３およびヘッド取り付け部１２の位置を無段階的に調節する。調節ネジ２４を時計方向に回転させれば、第１の調節ネジ取り付け片２１および第２の調節ネジ取り付け片２３が接近してサーマルヘッド１１をプラテンローラ１０に対して後方に移動させることができ、反時計方向に回転させれば、スプリングの付勢力により第１の調節ネジ取り付け片２１および第２の調節ネジ取り付け片２３が離間してサーマルヘッド１１をプラテンローラ１０に対して前方に移動させることができる。この調節ののち一体化ネジ３３を再度締め付けて調節状態を固定する。なお、この調節作業は、基本的にはプリンタ製造工場の組み立て時においてこれを行うものであるが、プリンタ１として組み立てた後であっても、ベースプレート６のネジ調整用窓４０から一体化ネジ３３を操作すると共に、目盛り３９を確認しつつ調節作業を行うことができる。
【００３１】
サーマルヘッド１１のヘッド取り付け部１２への取り付けは、前面側、すなわち上部筐体１０４を開くことにより解放された被印字媒体Ｐの搬送方向下流側から、図４（ａ）に示すように、サーマルヘッド１１をスライドさせながら挿入するスロット方式となっており、ヘッド取り付け部１２は、図３乃至図５を参照すると、前面側からサーマルヘッド１１が挿入されるスロット部１２１と、スロット部１２１の奥側に配設され、サーマルヘッド１１のコネクタ部１１１を差し込み接続するコネクタ部１２２と、スロット部１２１に挿入されたサーマルヘッド１１をコネクタ部１２２へと案内すると共に、スロット部１２１に挿入されたサーマルヘッド１１の位置決めを行うためにスロット部１２１の両側に形成されている一対のガイドレール１２３と、スロット部１２１に挿入されたサーマルヘッド１１をロックするロック爪１２４と、サーマルヘッド１１を排出するためのイジェクト機構とを備えている。
【００３２】
サーマルヘッド１１の両側には、スロット部１２１の両側に形成されている一対のガイドレール１２３がそれぞれ嵌入されるガイド溝１１２が形成されており、サーマルヘッド１１をヘッド取り付け部１２に取り付ける際には、ガイド溝１１２がヘッド取り付け部１２のガイドレール１２３と平行になるようにサーマルヘッド１１を保持し、ガイドレール１２３をガイド溝１１２に嵌入した後、ガイドレール１２３に沿ってサーマルヘッド１１をスロット部１２１に挿入させる。サーマルヘッド１１の両側に形成されているガイド溝１１２には、挿入方向位置決め面１１３が形成されており、図４（ｂ）に示すように、ガイドレール１２３が挿入方向位置決め面１１３に当接して、サーマルヘッド１１がヘッド取り付け部１２に対して挿入方向で位置決めされるまで挿入させることにより、スロット部１２１の奥側に配設されているコネクタ部１２２にサーマルヘッド１１のコネクタ部１１１が差し込まれ、スロット部１２１のコネクタ部１２２とサーマルヘッド１１のコネクタ部１１１とが接続された状態になる。なお、サーマルヘッド１１のヘッド取り付け部１２に対する上下左右方向、すなわち挿入方向に直交する方向の位置決めは、ガイドレール１２３のガイド溝１１２への嵌入によってなされ、スロット部１２１の両側に形成されている一対のガイドレール１２３が、ヘッド取り付け部１２とサーマルヘッド１１との位置決め（挿入方向、上下左右方向）する位置決め手段として機能することになる。また、挿入方向位置決め面１１３をヘッド取り付け部１２に設け、挿入方向位置決め面１１３とサーマルヘッド１１とを当接させることにより、サーマルヘッド１１がヘッド取り付け部１２に対して挿入方向で位置決めされるようにしても良い。
【００３３】
また、サーマルヘッド１１がヘッド取り付け部１２に対して位置決めされた状態では、ヘッド取り付け部１２のロック爪１２４がサーマルヘッド１１に形成されている被係合部１１４に係合され、サーマルヘッド１１が脱落しないようにロックされる。なお、ロック爪１２４は、前面側に設けられており、上部筐体１０４を開くことにより、解放された被印字媒体Ｐの搬送方向下流側から、ロック爪１２４を操作してのロック解除を行えるようになっている。
【００３４】
ヘッド取り付け部１２のイジェクト機構は、ガイドレール１２３に沿って設置されたプッシュロッド１２５と、サーマルヘッド１１の挿入方向に摺動するスライダ１２６と、プッシュロッド１２５に加えた力をスライダ１２６に伝える揺動クランクレバー１２７とを備えている。スライダ１２６は、挿入されたサーマルヘッド１１をスロット部１２１から離脱させるための可動部材で、サーマルヘッド１１に係合するべく下向きに突出した３個の排出爪１２８を有する。
【００３５】
スロット部１２１に差し込まれたサーマルヘッド１１をスロット部１２１から離脱させるには、ロック爪１２４を操作してのロック解除しながら、プッシュロッド１２５を前面側から操作して押し込む。プッシュロッド１２５を操作してのロック解除を押し込むと、揺動クランクレバー１２７が枢軸１２９を中心に回転し、スライダ１２６を移動させる。スライダ１２６の移動に伴い、排出爪１２８がサーマルヘッド１１を前方へ押し出すので、サーマルヘッド１１は、ヘッド取り付け部１２から離脱される。
【００３６】
以上説明したように、本実施の形態によれば、被印字媒体Ｐの搬送方向下流側からサーマルヘッド１１が挿入されるスロット部１２１が形成されたヘッド取り付け部１２と、スロット部１２１の奥側に配設され、スロット部１２１へのサーマルヘッド１１の挿入に伴ってサーマルヘッド１１に接続されるコネクタ部１２２と、スロット部１２１に挿入されたサーマルヘッド１１をコネクタ部１２２に案内するガイドレール１２３とを設けることにより、スロット部１２１へのサーマルヘッド１１の取り付けに伴って、サーマルヘッド１１がガイドレール１２３によって案内され、サーマルヘッド１１にコネクタ部１２２が接続されるため、ドライバ等の工具を必要とせず、サーマルヘッド１１の取り付けと、サーマルヘッド１１に駆動信号を供給するためのコネクタ部１２２の接続とを一連の作業で行うことができるという効果を奏する。
【００３７】
さらに、本実施の形態によれば、スロット部１２１に挿入されたサーマルヘッド１１をロックするロック爪１２４を設けることにより、スロット部１２１に挿入されたサーマルヘッド１１の脱落や、コネクタ部１２２との接続不良を防止することができるという効果を奏する。
【００３８】
さらに、本実施の形態によれば、スロット部１２１と、プラテンローラ１０との位置を調整可能なヘッド位置調整部４とを一体化するように構成することにより、サーマルヘッド１１を取り外しても、ヘッド位置調整部４による位置調整が維持されるため、サーマルヘッド１１を交換した際に、プラテンローラに対する位置調整を改めて行う必要がなく、サーマルヘッド１１の交換を容易に行うことができるという効果を奏する。
【００３９】
さらに、本実施の形態によれば、スロット部１２１へのサーマルヘッド１１の挿入方向と同一の方向からの操作によって、スロット部１２１からサーマルヘッド１１を排出させるイジェクト機構を設けることにより、スロット部１２１からのサーマルヘッド１１の取り外しと、スロット部１２１へのサーマルヘッド１１の取り付けとを同一の方向から簡単に行うことができ、不慣れなユーザでもサーマルヘッド１１の交換を容易に行うことができるという効果を奏する。
【００４０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４１】
【図１】本発明に係るサーマルヘッド支持装置の実施の形態を装備したプリンタの要部構成を示す概略側面図である。
【図２】図１に示すサーマルヘッド支持装置におけるヘッド圧調整部の構成を示す分解斜視図である。
【図３】図１に示すサーマルヘッド支持装置におけるヘッド位置調整部の構成を示す分解斜視図である。
【図４】図３に示すヘッド取り付け部へのサーマルヘッドの取り付け方法を説明する説明図である。
【図５】図３に示すヘッド取り付け部の構成を示す斜め下方から見た斜視図である。
【符号の説明】
【００４２】
１  プリンタ
２  サーマルヘッド支持装置
３  ヘッド圧調整部
４  ヘッド位置調整部
５  カム固定プレート
６  ベースプレート
７  圧力プレート
８  ヘッド付勢用スプリング
９  メイン固定プレート
１０  プラテンローラ
１１  サーマルヘッド
１２  ヘッド取り付け部
１３  ヘッド移動プレート
１４  ヘッド圧可変カム
１５  可変つまみ
１６  主軸
１７  圧力プレート回動軸
１８  カム用窓
１９  ガイドピン
２０  側壁部
２１  第１の調節ネジ取り付け片
２３  第２の調節ネジ取り付け片
２４  調節ネジ
２５  圧縮スプリング
２６  ネジ貫挿孔
２７  雌ネジ孔
２８  矩形状切欠き部
２９  第１のピン挿通孔
３０  第２のピン挿通孔
３１  Ｅ型ワッシャ
３２  ネジ取り付け片調節用長孔
３３  一体化ネジ
３４  カラー
３５  調節用ガイド長孔
３６  一体化用ネジ孔
４０  ネジ調整用窓
１０１  供給部
１０２  本体筐体
１０３  回動軸
１０４  上部筐体
１１１  コネクタ部
１１２  ガイド溝
１１３  挿入方向位置決め面
１１４  被係合部
１２１  スロット部
１２２  コネクタ部
１２３  ガイドレール
１２４  ロック爪
１２５  プッシュロッド
１２６  スライダ
１２７  揺動クランクレバー
１２８  排出爪
１２９  枢軸
Ｐ  被印字媒体
【図１】
2008207512.tif 000003
【図２】
2008207512.tif 000004
【図３】
2008207512.tif 000005
【図４】
2008207512.tif 000006
【図５】
2008207512.tif 000007